(57)【要約】【課題】案内部の設置スペースを増加させることなく、発光部の可動範囲を拡大できる照明装置を提供することを課題とする。【解決手段】照明光をカメラ本体の前方へ向けて発光する発光部と、前記発光部を前記カメラ本体に対して接離可能に連結しており、被案内部を有している連結部と、前記被案内部の前記カメラ本体の内部側及び外部側への移動を案内することにより、前記発光部を前記カメラ本体に対して接離する方向へ案内すると共に、前記被案内部の前記カメラ本体の外部側への移動量を制限することにより、前記発光部の前記カメラ本体に対して離間する方向への移動量を制限する案内部を有しており、前記案内部と共に前記被案内部の移動方向へ変位可能に前記カメラ本体に配されている案内部材と、を備える照明装置。【選択図】図４
2010185910.tif 000002
【特許請求の範囲】
【請求項１】
照明光をカメラ本体の前方へ向けて発光する発光部と、
前記発光部を前記カメラ本体に対して接離可能に連結しており、被案内部を有している連結部と、
前記被案内部の前記カメラ本体の内部側及び外部側への移動を案内することにより、前記発光部を前記カメラ本体に対して接離する方向へ案内すると共に、前記被案内部の前記カメラ本体の外部側への移動量を制限することにより、前記発光部の前記カメラ本体に対して離間する方向への移動量を制限する案内部を有しており、前記案内部と共に前記被案内部の移動方向へ変位可能に前記カメラ本体に配されている案内部材と、
を備える照明装置。
【請求項２】
前記案内部は、前記カメラ本体の前側へかけて上側へ傾斜した移動経路に沿って前記被案内部を案内する請求項１に記載の照明装置。
【請求項３】
前記連結部は、
前記カメラ本体に回動可能に支持された第１連結部材と、
前記第１連結部材に連結軸を介して回動可能に支持され、前記発光部を支持する第２連結部材と、
を備え、
前記被案内部は、前記案内部により前記カメラの外部側への移動を止められた状態で、前記連結軸より下側に位置する請求項２に記載の照明装置。
【請求項４】
前記カメラ本体に対して接近した前記発光部を前記カメラ本体に係合させる係合部を備え、
前記案内部は、前記係合部が前記発光部を前記カメラ本体に係合させた状態において、前記被案内部の前記カメラ本体の内部側への移動を許容している請求項１に記載の照明装置。
【請求項５】
請求項１から請求項４までの何れか１項に記載の照明装置と、
カメラ本体と、
前記カメラ本体の前側に配されたレンズユニットと、
を備える撮像装置。
【発明の詳細な説明】
【技術分野】
【０００１】
本発明は、照明装置及び撮像装置に関する。
【背景技術】
【０００２】
カメラ本体の前方を照明する照明装置を、カメラ本体に格納したり、カメラ本体から突出させたりするカメラが知られている（例えば、特許文献１参照）。このカメラでは、照明装置に案内ピンが設けられ、この案内ピンの移動を案内する案内溝がカメラ本体に設けられている。
【特許文献１】特開昭６２−１２１４２８号公報
【発明の開示】
【発明が解決しようとする課題】
【０００３】
照明装置から発光される照明光がレンズユニットに遮られる所謂ケラレを防止することを目的として、発光部をカメラ本体の上方へより高く上げようとした場合には、案内溝をより長くしなければならず、カメラ本体が大型化する。そこで、案内部の設置スペースを増加させることなく、発光部の可動範囲を拡大できる照明装置を提供することを課題とする。
【課題を解決するための手段】
【０００４】
上記課題を解決するために、本発明の第１の態様においては、照明光をカメラ本体の前方へ向けて発光する発光部と、前記発光部を前記カメラ本体に対して接離可能に連結しており、被案内部を有している連結部と、前記被案内部の前記カメラ本体の内部側及び外部側への移動を案内することにより、前記発光部を前記カメラ本体に対して接離する方向へ案内すると共に、前記被案内部の前記カメラ本体の外部側への移動量を制限することにより、前記発光部の前記カメラ本体に対して離間する方向への移動量を制限する案内部を有しており、前記案内部と共に前記被案内部の移動方向へ変位可能に前記カメラ本体に配されている案内部材と、を備える照明装置を提供する。
【０００５】
なお、上記の発明の概要は、本発明の必要な特徴の全てを列挙したものではない。また、これらの特徴群のサブコンビネーションもまた、発明となりうる。
【発明を実施するための最良の形態】
【０００６】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００７】
図１は、一実施形態に係るポップアップ式のストロボ１００を備えるデジタルカメラ２００を示す側面図である。この図に示すように、デジタルカメラ２００は、矩形箱状のカメラ本体２０２と、カメラ本体２０２の前面に配されたレンズユニット２０４とを備えている。ストロボ１００の発光部１０２は、カメラ本体２０２の上部に格納される。
【０００８】
図２は、ストロボ１００がポップアップした状態のデジタルカメラ２００を示す側面図である。この図に示すように、ストロボ１００の発光部１０２は、カメラ本体２０２の上部から前方且つ上方側へ突出する。
【０００９】
図３は、ストロボ１００の発光部１０２をカメラ本体２０２に格納した状態を示す側断面図である。この図に示すように、ストロボ１００は、キセノンランプ、ＬＥＤ等の光源１０４と椀状のリフレクタ１０６とを有する発光部１０２と、発光部１０２を収容するストロボケース１０８とを備える。
【００１０】
カメラ本体２０２の上部には、ストロボケース１０８を格納する格納部２０６が凹設されている。格納部２０６には、カメラ本体２０２の前面の一部を構成する前壁部２０８と、前壁部２０８から張り出して格納部２０６の底部を構成する底壁部２１０とを備えている。
【００１１】
ストロボケース１０８の前部には、発光部１０２を前方側に露出させる開口部１１０が形成されており、開口部１１０の下側には、被係合部１１２が設けられている。被係合部１１２はストロボケース１０８の前部から下方へ突出しており、被係合部１１２の前面には、凹部１１４が形成されている。
【００１２】
また、底壁部２１０には、被係合部１１２が挿入される開口部２１２が形成されている。この開口部２１２には、被係合部１１２の凹部１１４に係合するロックレバー２１４が挿通されている。ロックレバー２１４は、開口部２１２の下方にカメラ左右方向に沿って配された回転軸の周りに回転可能に配されている。ロックレバー２１４は、被係合部１１２とカメラ前後方向に対向しており、爪部を凹部１１４に係合させることにより、ストロボケース１０８を格納部２０６にロックする。
【００１３】
ロックレバー２１４は、ソレノイド等の駆動部により上記回転軸の周りにカメラ前方側へ回転されることにより、爪部を凹部１１４から退避させる。これにより、ロックレバー２１４によりストロボケース１０８の格納部２０６へのロックが解除される。
【００１４】
ストロボ１００は、ストロボケース１０８をカメラ本体２０２の上部にカメラ本体２０２に接離可能に連結する連結部１２０を備えている。ここで、ストロボケース１０８がカメラ本体２０２の上部に接離するとは、ストロボケース１０８がカメラ本体２０２の上部に対して接近したり離間したりすることを意味しており、ストロボケース１０８がカメラ本体２０２の上部に対して接着又は接合されたりその状態を解除されたりすることを意味しているのではない。
【００１５】
連結部１２０は、リンクアーム１２２、１２４を備えている。リンクアーム１２２は、底壁部２１０より下側にカメラ左右方向に沿って配された軸１２３の周りに回動可能にカメラ本体２０２に支持されている。また、リンクアーム１２４は、リンクアーム１２２の回転半径方向外側端部に、軸１２３と平行な連結軸１２５により、当該連結軸１２５の周りに回動可能に連結されている。
【００１６】
リンクアーム１２４の長手方向一端部は、ストロボケース１０８に結合されている。また、リンクアーム１２４の長手方向他端部には、案内ピン１２６が突設されている。連結軸１２５は、リンクアーム１２４の長手方向他端側、即ち案内ピン１２６側に寄せて配されている。
【００１７】
ここで、ストロボケース１０８を格納部２０６に格納してロックレバー２１４により格納部２０６にロックした状態で、連結部１２０は折畳まれた状態となる。リンクアーム１２２は、軸１２３から僅かに上方に傾斜した状態でカメラ後方側へ延びる。連結軸１２５は、格納部２０６より下側に位置しており、リンクアーム１２４は、当該連結軸１２５から上方へ傾斜した状態でストロボケース１０８まで延びる。
【００１８】
軸１２３は、捩じりコイルバネ１３０に挿通されている。捩じりコイルバネ１３０の両端は、直線状に形成されている。リンクアーム１２２における軸１２３と連結軸１２５との間にはリブ１２７が突設され、カメラ本体２０２におけるリブ１２７の下側には、リブ１２８が設けられている。
【００１９】
捩じりコイルバネ１３０の両端は、リブ１２７とリブ１２８との間に嵌め込まれており、捩じりコイルバネ１３０は、両端が互いに接近する方向に弾性変形している。このため、リンクアーム１２２は、捩じりコイルバネ１３０により、軸１２３の周りに連結軸１２５が上方側且つ前方側へ移動する方向に付勢されている。
【００２０】
また、ストロボ１００は、レール１４０を備えている。レール１４０は、リンクアーム１２４と同程度の長さの細長い板材であり、その長手方向に沿って延びる案内溝１４２が形成されている。また、レール１４０は、その一部がリンクアーム１２４の長手方向他端部と重なり合うように配されており、スライドガイド１４４により、カメラ前方側へかけて上方側へ傾斜した方向に沿って移動可能に支持されている。
【００２１】
ここで、案内ピン１２６は、リンクアーム１２４の長手方向他端部からリンクアーム１２２の反対側へ突出しており、案内溝１４２に摺動可能に嵌合している。このため、案内ピン１２６は、案内溝１４２により案内されて、カメラ前方側へかけて上方側へ傾斜した移動経路に沿って移動する。
【００２２】
レール１４０の下方側且つカメラ後方側の端部には、幅方向両側へ幅が広がった幅広部１４６が形成されている。当該幅広部１４６が、スライドガイド１４４に対して摺動する。また、スライドガイド１４４の上方側且つカメラ前方側の端部には、幅広部１４６が係合する被係合部１４７が形成されている。また、スライドガイド１４４の下方側且つカメラ後方側の端部には、幅広部１４６が当接する被当接部１４８が形成されている。幅広部１４６が被係合部１４７に係合することにより、レール１４０の上方側且つカメラ前方側への移動が止まり、幅広部１４６が被当接部１４８に当接することにより、レール１４０の下方側且つカメラ後方側への移動が止まる。
【００２３】
ここで、案内ピン１２６と案内溝１４２の下方側且つカメラ後方側の端部との間には隙間が空けられている。このため、ロックレバー２１４によりストロボケース１０８が格納部２０６にロックされた状態において、案内ピン１２６の下方側且つ後方側への移動が許容される。
【００２４】
次に、本実施形態の作用について説明する。ロックレバー２１４によるストロボケース１０８の格納部２０６へのロックが解除されると、リンクアーム１２２が、捩じりコイルバネ１３０の付勢力により、軸１２３の周りに連結軸１２５が上昇する方向へ回動する。また、リンクアーム１２４は、リンクアーム１２２の回動力を受けて上昇する。
【００２５】
ここで、リンクアーム１２２におけるストロボケース１０８の反対側の端部には、案内ピン１２６が設けられており、当該案内ピン１２６が、レール１４０の案内溝１４２により案内されて、上方且つカメラ前方へ直進する。これにより、リンクアーム１２４におけるストロボケース１０８の反対側の端部が、上方且つ前方へ直進すると共に、リンクアーム１２４におけるストロボケース１０８側の端部が、カメラ後方側に膨らむように湾曲した移動経路に沿って上方且つカメラ前方へ移動する。
【００２６】
案内ピン１２６が、案内溝１４２の上方側且つ前方側の端部まで移動すると、レール１４０が案内ピン１２６に懸架された状態となる。この状態から、リンクアーム１２２、１２４は、さらに捩じりコイルバネ１３０の付勢力により回動する。このため、リンクアーム１２４に懸架されたレール１４０は、スライドガイド１４４に案内されながら上方且つ前方へ直進する。
【００２７】
図４は、ポップアップした状態のストロボ１００を示す側断面図である。この図に示すように、レール１４０が、スライドガイド１４４に案内されながら上方且つ前方へ直進すると、レール１４０の幅広部１４６が、スライドガイド１４４の被係合部１４７に係合する。これにより、レール１４０の上方且つ前方への移動が止まり、ストロボケース１０８が、格納部２０６の上方且つ前方において停止する。
【００２８】
ここで、本実施形態では、レール１４０をカメラ本体２０２に、案内ピン１２６の移動方向に沿ってスライド可能に配したことにより、案内ピン１２６の移動量を案内溝１４２の長さを超える量にまで拡大できる。これにより、案内溝１４２の長さを延長させることなく、案内ピン１２６の移動ストロークを延長させることができる。即ち、カメラ本体２０２におけるレール１４０の設置スペースを増加させることなく、発光部１０２をカメラ本体２０２に対してより高くより前方の位置まで移動させることができる。従って、カメラ本体２０２の小型化を妨げることなく、ストロボ光のレンズユニット２０４によるケラレの発生、赤目現象の発生を抑制することができる。
【００２９】
また、本実施形態では、案内溝１４２が、カメラ前方側へかけて上側へ傾斜する方向に沿って延びていることにより、発光部１０２が格納部２０６から上方且つ前方へポップアップする。これにより、発光部１０２をレンズユニット２０４の前端側により近づけることができるので、レンズユニット２０４が発光部１０２のストロボ光の照射範囲に入り難くなり、ストロボ光のレンズユニット２０４によるケラレが発生し難くなる。
【００３０】
また、本実施形態では、案内ピン１２６が連結軸１２５より下側に位置する段階で、レール１４０の幅広部１４６がスライドガイド１４４の被係合部１４７に係合する。ストロボケース１０８は、リンクアーム１２４における、案内ピン１２６に対して連結軸１２５を挟んだ反対側に結合されているので、ポップアップ状態において、ストロボケース１０８を、連結軸１２５より上側に位置させることができる。よって、ポップアップ状態において、発光部１０２をより高い位置に配置でき、レンズユニット２０４によるストロボ光のケラレ、赤目現象の発生をより効果的に抑制できる。
【００３１】
また、本実施形態では、ロックレバー２１４によりストロボケース１０８が格納部２０６にロックされた状態において、案内ピン１２６と案内溝１４２の下方側且つカメラ後方側の端部との間に隙間が空き、案内ピン１２６の下方側且つ後方側への移動が許容される。これにより、ロックレバー２１４によるストロボケース１０８のロック動作が、案内ピン１２６と案内溝１４２とにより妨げられることを防止できる。
【００３２】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。例えば、本実施形態では、ポップダウン状態において、発光部１０２がカメラ本体２０２内の格納部２０６に格納されるように構成したが、ポップダウン状態において、発光部１０２がカメラ本体２０２の外側に位置するように構成してもよい。
【００３３】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【図面の簡単な説明】
【００３４】
【図１】一実施形態に係るポップアップ式のストロボ１００を備えるデジタルカメラ２００を示す側面図である。
【図２】ストロボ１００がポップアップした状態のデジタルカメラ２００を示す側面図である。
【図３】ストロボ１００の発光部１０２をカメラ本体２０２に格納した状態を示す側断面図である。
【図４】ポップアップした状態のストロボ１００を示す側断面図である。
【符号の説明】
【００３５】
１００  ストロボ、１０２  発光部、１０４  光源、１０６  リフレクタ、１０８  ストロボケース、１１０  開口部、１１２  被係合部、１１４  凹部、１２０  連結部、１２２、１２４  リンクアーム、１２３  軸、１２５  連結軸、１２６  案内ピン、１２７、１２８  リブ、１３０  捩じりコイルバネ、１４０  レール、１４２  案内溝、１４４  スライドガイド、１４６  幅広部、１４７  被係合部、１４８  被当接部、２００  デジタルカメラ、２０２  カメラ本体、２０４  レンズユニット、２０６  格納部、２０８  前壁部、２１０  底壁部、２１２  開口部、２１４  ロックレバー
【図１】
2010185910.tif 000003
【図２】
2010185910.tif 000004
【図３】
2010185910.tif 000005
【図４】
2010185910.tif 000006